(57)【要約】【課題】ハンドルへの塵埃の付着を防止し衛生性を確保した電気掃除機を提供する。【解決手段】集塵室に着脱可能な集塵袋31に対して着脱可能なハンドル38を備える。ハンドル38を集塵袋31から取り外した状態で集塵袋31を集塵室に装着することでハンドル38への塵埃の付着を防止できる。ハンドル38を集塵袋31に取り付けることで使用者が集塵袋31に直接触れることなく集塵袋31を集塵室から容易に取り外すことができ、衛生性を確保できる。【選択図】図１
2011115227.tif 000002
【特許請求の範囲】
【請求項１】
集塵室およびこの集塵室に連通する送風機室を備えた本体ケースと、
前記集塵室に吸込側を連通させて前記送風機室に収容された電動送風機と、
前記集塵室に着脱可能な集塵部に対して着脱可能なハンドルと
を具備したことを特徴とした電気掃除機。
【請求項２】
集塵部は、開口部を備えハンドルが着脱可能な口枠と、濾材により袋状に形成され形成され前記開口部に連通して口枠に取り付けられた袋体とを有する集塵袋である
ことを特徴とした請求項１記載の電気掃除機。
【請求項３】
口枠は、開口部の上方両側に位置する着脱開口を有し、
ハンドルは、前記着脱開口へと挿入されて回動されることによりこれら着脱開口にそれぞれ係止されるフック部を有している
ことを特徴とした請求項２記載の電気掃除機。
【請求項４】
集塵部は、開口部を備えた口枠および濾材により袋状に形成され前記開口部に連通して口枠に取り付けられた袋体を有する集塵袋を着脱可能な保持体を備え、
ハンドルは、前記保持体に対して着脱可能である
ことを特徴とした請求項１記載の電気掃除機。
【請求項５】
保持体は、
口枠の開口部に連通する連通開口と、
この連通開口の上方両側に位置する着脱開口部とを有し、
ハンドルは、
前記着脱開口部へと挿入されて回動されることによりこれら着脱開口部にそれぞれ係止されるフック部と、
これらフック部を前記着脱開口部に係止した状態での前記保持体の回動を阻止する回動阻止部とを有している
ことを特徴とした請求項４記載の電気掃除機。
【請求項６】
本体ケースの集塵室に設けられ、この集塵室内に集塵部を保持可能で、かつ、前記集塵室内に保持した集塵部にハンドルを取り付けることで前記集塵部の前記集塵室内への保持を解除可能な保持手段を具備した
ことを特徴とした請求項１ないし５いずれか一記載の電気掃除機。
【請求項７】
ハンドルは、集塵部に対して少なくとも回動させることにより取り付けられ、
保持手段は、前記ハンドルを前記集塵部に取り付ける際の回動方向と反対方向への回動により集塵部を集塵室内に保持し、
前記ハンドルは、前記集塵部に対して回動させて取り付ける際に前記保持手段を押圧して回動させることによりこの保持手段による集塵部の前記集塵室内への保持を解除させる突起部を備えている
ことを特徴とした請求項６記載の電気掃除機。
【請求項８】
本体ケースに設けられ、ハンドルを収納可能な収納部を具備した
ことを特徴とした請求項１ないし７いずれか一記載の電気掃除機。
【請求項９】
ハンドルは、本体ケースに対して着脱可能であり、この本体ケースに取り付けた状態ではこの本体ケースの把持用となる
ことを特徴とした請求項１ないし５いずれか一記載の電気掃除機。
【請求項１０】
本体ケースは、集塵室を開閉可能な蓋体を備え、
ハンドルは、前記集塵室に取り付けられた集塵部に取り付けた状態で前記蓋体による前記集塵室の閉塞を阻止する
ことを特徴とした請求項１ないし９いずれか一記載の電気掃除機。
【請求項１１】
ハンドルは、回動により集塵部に対して着脱可能であり、
蓋体は、集塵室側へと突出しこの蓋体により前記集塵室を閉塞する際に前記ハンドルに当接してこのハンドルの前記集塵室側への倒れを阻止する支持部を有している
ことを特徴とした請求項１０記載の電気掃除機。
【発明の詳細な説明】
【技術分野】
【０００１】
本発明は、集塵室に着脱可能な集塵部を備えた電気掃除機に関する。
【背景技術】
【０００２】
従来、この種の電気掃除機は、中空状の本体ケースを備えている。この本体ケースの内部には、前後に集塵室と送風機室とが区画されており、集塵室が蓋体を介して開閉可能に構成されている。そして、集塵室には集塵部が着脱可能であり、送風機室には電動送風機が集塵室と連通して収容されている。
【０００３】
集塵部としては、例えば口枠と濾材により形成された袋体とを一体的に備える使い捨ての集塵袋が用いられる。この集塵袋は、集塵室に連通して本体ケースに開口形成された吸込開口と口枠とを連通させるように集塵室に装着されて保持される。そして、電動送風機の駆動により吸込開口を介して空気とともに吸い込んだ塵埃を口枠から袋体へと導き、この袋体で塵埃を濾過集塵する。
【０００４】
袋体に塵埃が溜まると、使用者は蓋体を開いて集塵室から集塵袋を取り出して廃棄し、新たな集塵袋を集塵室に装着する。しかしながら、集塵袋の廃棄の際、衛生性を考慮すると、集塵袋に直接触れてこの集塵袋を取り外すことは好ましくない。
【０００５】
そこで、口枠に可動的なハンドルを設け、集塵袋の廃棄の際には、このハンドルを突出させて把持する構成(例えば、特許文献１参照。)、あるいは、ハンドルを備えた枠状の保持体に集塵袋を保持して集塵室に対して保持体とともに着脱可能とし、集塵袋の廃棄の際には、保持体のハンドルを把持する構成(例えば、特許文献２参照。)などが知られている。
【先行技術文献】
【特許文献】
【０００６】
【特許文献１】実開平６−１７６５４号公報(第７−１０頁、図１−３)
【特許文献２】特開２００９−１１９０９１号公報(第４−６頁、図１および図３)
【発明の概要】
【発明が解決しようとする課題】
【０００７】
しかしながら、集塵袋の袋体では、相対的に大きい塵埃が集塵されるに過ぎず、微細な塵埃である細塵は、袋体を通過し、集塵袋の下流側に配置されたフィルタなどに捕集される。そのため、上述の電気掃除機の構成の場合、口枠に設けたハンドル、あるいは保持体に設けたハンドルが、それぞれ袋体から電動送風機の吸込側へと至る風路の一部を構成する集塵室内に位置するので、袋体を通過した細塵がハンドルに付着するおそれがあるという問題点を有している。
【０００８】
本発明は、このような点に鑑みなされたもので、ハンドルへの塵埃の付着を防止し衛生性を確保した電気掃除機を提供することを目的とする。
【課題を解決するための手段】
【０００９】
本発明は、集塵室およびこの集塵室に連通する送風機室を備えた本体ケースと、集塵室に吸込側を連通させて送風機室に収容された電動送風機と、集塵室に着脱可能な集塵部に対して着脱可能なハンドルとを具備したものである。
【発明の効果】
【００１０】
本発明によれば、ハンドルを集塵部から取り外した状態で集塵部を集塵室に装着することでハンドルへの塵埃の付着を防止できるとともに、ハンドルを集塵部に取り付けることで使用者が集塵部に直接触れることなく集塵部を集塵室から容易に取り外すことができ、衛生性を確保できる。
【図面の簡単な説明】
【００１１】
【図１】本発明の第１の実施の形態の電気掃除機の一部の斜視図であり、(a)は集塵袋からハンドルを取り外した状態を示し、(b)は集塵袋にハンドルを取り付けた状態を示す。
【図２】同上ハンドルの取り付け動作を(a)(b)の順に示す説明断面図である。
【図３】同上電気掃除機の蓋体を開いた状態を示す斜視図である。
【図４】同上電気掃除機の一部を示す断面図である。
【図５】同上電気掃除機の蓋体の一部を開いた状態を示す斜視図である。
【図６】同上電気掃除機を示す斜視図である。
【図７】本発明の第２の実施の形態の電気掃除機の一部の斜視図であり、(a)は集塵部からハンドルを取り外した状態を示し、(b)は集塵部にハンドルを取り付けた状態を示す。
【図８】同上ハンドルの取り付け動作を(a)(b)の順に示す説明断面図である。
【図９】同上電気掃除機の一部を示す説明断面図である。
【図１０】本発明の第３の実施の形態の電気掃除機を示す斜視図である。
【発明を実施するための形態】
【００１２】
以下、本発明の第１の実施の形態の構成を図１ないし図６を参照して説明する。
【００１３】
図６において、11はいわゆるキャニスタ型の電気掃除機を示し、この電気掃除機11は、管部12と、この管部12が着脱可能に接続される掃除機本体13とを有している。
【００１４】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１５】
手元操作部17には、把持部21がホース体16側へと突出し、この把持部21には、操作用の設定ボタン22が複数設けられている。
【００１６】
また、掃除機本体13は、図３ないし図６に示すように、中空状の本体ケース25を備え、この本体ケース25の内部には、前後方向の略中間域に隔壁26が形成され、この隔壁26の前側に集塵室27が区画され、隔壁26の後側に送風機室28および図示しないコードリール室が区画されている。そして、集塵室27内には、集塵部としての集塵袋31が着脱可能であり、送風機室28には、電動送風機32が収容され、コードリール室には電源コード33を巻回したコードリールが収容されている。
【００１７】
ここで、集塵袋31は、図１(a)および図１(b)に示すように、例えば正面視四角形状の口枠36とこの口枠36に一体的に取り付けられた袋体37とを備えた紙パックである。そして、この集塵袋31には、把持用のハンドル38が着脱可能となっている。
【００１８】
口枠36は、例えば厚紙などにより形成されており、電動送風機32の駆動により管部12を介して吸い込まれた塵埃が空気とともに袋体37へと流入する円形状の開口部41を中央部に有している。また、この口枠36の開口部41の上方でかつ両側には、ハンドル38を係止するための着脱開口42，42が例えば横長の四角形状に形成されている。さらに、この口枠36は、図３および図４に示すように、集塵室27内の前部に配置された保持手段としてのクランプ部43により保持可能となっている。
【００１９】
クランプ部43は、口枠36の左右幅方向の中心域の上部を押さえて集塵袋31を保持するための保持手段本体としてのクランプ本体45を有しており、このクランプ本体45の下側の両側部に突出する回動軸45a，45aが、軸支部46，46に軸支されて前後方向に回動可能となっている。また、クランプ本体45は、図示しない付勢手段としてのトーションばねなどにより回動方向に沿って後方(下方)へと付勢されている。
【００２０】
クランプ本体45には、下方に向けて屈曲し口枠36の後部に係合する係合爪部45bが後端部に複数形成されている。これら係合爪部45bは、互いに左右幅方向に離間されている。また、このクランプ本体45の前側の上部には、このクランプ本体45を操作するための操作部45cが上方に突出して板状に形成されている。
【００２１】
一方、図１(a)および図１(b)に示す袋体37は、口枠36の開口部41から吸い込まれた塵埃を含む空気(含塵空気)を濾過して比較的大きい塵埃(粗塵)を捕集するものであり、例えば複数の濾材(濾紙)を重ね合わせて袋状に形成されている。また、この袋体37は、開口側が口枠36の開口部41に連通するように口枠36の背面側に固定されている。さらに、この袋体37は、着脱開口42，42を避けて、換言すれば着脱開口42，42よりも開口部41側寄りの位置で口枠36に固定されている。そして、この袋体37は、集塵袋31の未使用状態で折り畳まれており、開口部41から含塵空気を内部に吸い込むことにより図３に示すように集塵室27の内部全体に亘って拡がるように構成されている。
【００２２】
そして、図１および図２に示すハンドル38は、例えば合成樹脂などにより板状に形成されており、使用者が把持する把手部51と、この把手部51に連続する腕部52，52と、これら腕部52，52間に形成されたリブ部としての補強部53とを一体に備えている。また、このハンドル38は、集塵室27(図３)内に挿入可能な大きさに形成されている。そして、このハンドル38は、集塵袋31を集塵室27から取り外すときのみ集塵袋31に取り付けられるものであり、その他の状態では集塵袋31から取り外されて少なくとも集塵室27の外部に位置している。
【００２３】
把手部51は、幅方向に長手状に形成されている。
【００２４】
腕部52，52は、把手部51の両端部からそれぞれ直交方向に沿って延びて形成されている。また、これら腕部52，52の把手部51と反対側の端部には、集塵袋31の口枠36の着脱開口42，42に引っ掛けられて取り付けられるフック部55，55が例えば背面側へと折り返されて一体に形成されている。
【００２５】
フック部55，55は、腕部52，52の把手部51と反対側の端部からこれら腕部52，52に対して略垂直に突出する突出部55a，55aと、これら突出部55a，55aの先端側から腕部52，52と略平行に屈曲されて突出する引っ掛け部55b，55bとを一体に備え、側面視で腕部52，52に対してＬ字状に形成されている。したがって、このフック部55，55は、着脱開口42，42に対して前側(上流側)から挿入されて突出部55a，55aが着脱開口42，42の上縁部に当接し、引っ掛け部55b，55bが口枠36の着脱開口42，42の上縁部の背面側に引っ掛けられることで集塵袋31に取り付けられる。なお、これらフック部55は、前面側に折り返されて形成されていてもよい。この場合には、着脱開口42，42に対して後側(下流側)から挿入することが好ましい。
【００２６】
また、補強部53は、腕部52，52間を連結して補強するものであり、把手部51に対して離間された位置に形成されている。すなわち、この補強部53と把手部51と腕部52，52とに囲まれた部分が、把手部51を把持した使用者の手の一部が位置する空間部となっている。さらに、この補強部53の両端間には、フック部55，55の折り返し側と反対側、ここでは前側に向けて凸状に突出した突起部57が一体に形成されている。
【００２７】
突起部57は、幅方向にはフック部55，55の間に位置し、幅方向に直交する方向(図１中の上下方向)には、これらフック部55，55よりも把手部51側の位置、換言すればフック部55，55と把手部51との間に位置しており、補強部53に対して略垂直に突出している。また、この突起部57は、ハンドル38を回動させた状態でクランプ部43のクランプ本体45の操作部45cの後側を前方へと押圧して、この操作部45cを前方へと回動させるように構成されている。
【００２８】
また、図３ないし図６に示す本体ケース25は、例えば合成樹脂などにより形成され、上側が開口した下ケース61と、この下ケース61の上側後部である送風機室28を覆う上ケース62と、この上ケース62あるいは下ケース61に対して上下方向に回動可能に軸支され集塵室27を開閉可能とする蓋体63とを備えている。さらに、本体ケース25の前部には、吸込口としての本体吸込口64が開口形成されている。
【００２９】
下ケース61の両側部には、掃除機本体13を被掃除面としての床面上で走行可能にする走行輪66がそれぞれ回転自在に軸支されている。なお、この走行輪66には、送風機室28と連通する排気孔が形成されていてもよい。
【００３０】
上ケース62の集塵室27の上縁部には、蓋体63を閉じた状態でこの蓋体63の下部に弾性的に圧接されて集塵室27を気密に閉塞する気密保持部材としてのシールリップ67が全周に沿って取り付けられている。また、上ケース62の前部、すなわち蓋体63の後方の位置には、掃除機本体13を持ち運ぶための把持用の把持ハンドル68が回動可能に取り付けられている。さらに、上ケース62の後部には、送風機室28と連通する図示しない本体排気口が多数形成されている。
【００３１】
把持ハンドル68は、前端部が上ケース62に軸支されており、前後方向に回動可能に構成されている。この把持ハンドル68は、前方へと回動させた状態で本体ケース25に対して立ち上がって把持可能となり、後方へと回動させた状態で、上ケース62に凹設されたハンドル嵌合部69に嵌合して上ケース62の上面と略面一となるように収納されるように構成されている。
【００３２】
蓋体63は、後部が例えば上ケース62の把持ハンドル68の内側方の位置に軸支されて上下方向に回動可能な蓋体本体71と、この蓋体本体71に対して後部が軸支されてこの蓋体本体71に対して相対的に上下方向に回動可能な補助蓋体としての上蓋部72とを備えており、これら蓋体本体71と上蓋部72との間に、ハンドル38を収納可能な収納部73が区画されている。
【００３３】
蓋体本体71は、上方向に回動した状態で集塵室27を開き、下方向に回動した状態で集塵室27を気密に閉じるように構成されている。また、この蓋体本体71は、上方へと回動させて集塵室27を開いた状態を保持可能となっている。さらに、この蓋体本体71の下面、すなわち集塵室27側の面には、ハンドル38の倒れを阻止するための支持部としてのリブ75が突出して形成されている。
【００３４】
このリブ75は、蓋体63の蓋体本体71の集塵室27側の面の前部をなし後方に向けて上方へと湾曲した部分である湾曲部71aに形成されている。そして、このリブ75は、蓋体63の蓋体本体71により集塵室27を閉じた状態で、この集塵室27内に取り付けられた集塵袋31に対して接触しないように突出しているが、例えばハンドル38を集塵袋31に誤って取り付けた状態のまま蓋体63の蓋体本体71により集塵室27を閉じようとした際には、ハンドル38の把手部51の背面側が当接することによりハンドル38の後方への倒れを阻止するように構成されている。
【００３５】
また、上蓋部72は、蓋体本体71に対して上方向、すなわちこの蓋体本体71に対して離間される方向へと回動した状態で収納部73を開き、蓋体本体71に対して下方向、すなわちこの蓋体本体71側へと回動した状態で収納部73を閉じるように構成されている。また、この上蓋部72は、上方へと回動させて収納部73を開いた状態を保持可能となっている。
【００３６】
収納部73は、任意の構成とすることができるが、ここでは、例えば蓋体本体71の上側すなわち上蓋部72に対向する側に凹設されたハンドル取付部77に対してハンドル38を装着して固定可能に構成されている。ハンドル取付部77に対するハンドル38の装着状態は、任意に設定できるが、ここでは、例えば把手部51側を一側方とし、フック部55，55側を他側方として、把手部51および腕部52，52の背面側とフック部55，55側とがハンドル取付部77内(下側)に挿入され、突起部57側が上側となるように取り付けられている(図５)。なお、このハンドル取付部77に装着したハンドル38は、例えばハンドル取付部77の外縁部に連続して形成した取外凹部を介して取り外せるように構成してもよいし、ボタンなどにより使用者が操作可能な取外機構により取り外せるように構成してもよい。
【００３７】
また、本体吸込口64は、クランプ部43の下方に位置しており、集塵室27と本体ケース25の外部とを連通している。さらに、本体吸込口64の下部には、集塵袋31の口枠36の下部が上側から挿入される図示しない集塵袋保持部が形成されている。そして、この本体吸込口64の下流端には、図示しないシール部材などが配置されており、集塵室27内に取り付けた集塵袋31の口枠36の開口部41が気密に接続される。さらに、この本体吸込口64の上流側には、本体ケース25の外部にて接続管部15が着脱可能に連通接続される。
【００３８】
集塵袋保持部は、例えば口枠36の上側を除く周縁部の少なくとも一部を嵌合させて集塵袋31を集塵室27内で位置決めするものである。したがって、この集塵袋保持部は、クランプ部43との間で集塵袋31の口枠36を保持するように構成されている。
【００３９】
隔壁26には、集塵室27と送風機室28とを連通する図示しない通気開口が開口形成されている。この通気開口には、集塵袋31を通過した微細な塵埃(細塵)を捕集するための図示しないフィルタが取り付けられている。
【００４０】
集塵室27は、蓋体63により閉塞された状態で、本体吸込口64から隔壁26の通気開口へと連通する風路部となっている。
【００４１】
また、送風機室28は、電動送風機32の排気風を本体排気口へと連通する風路空間部を区画している。さらに、送風機室28の内部には、電動送風機32の駆動を制御する図示しない本体制御部が収容されている。この本体制御部は、設定ボタン22と電気的に接続されており、電動送風機32を、設定ボタン22により設定された動作モードに制御するように構成されている。
【００４２】
次に、上記第１の実施の形態の動作を説明する。
【００４３】
掃除の際には、集塵袋31を集塵室27に取り付ける。
【００４４】
まず、使用者は蓋体63を上方へと回動させて集塵室27を開き、未使用の集塵袋31の口枠36の下側を集塵袋保持部に挿入してこの口枠36の上側を前方へと回動させることにより、この口枠36の上縁部がクランプ部43のクランプ本体45の係合爪部45bの後側に当接し、さらに口枠36の上側を前方へと押し込むことでクランプ本体45がトーションばねの付勢に抗して回動軸45a，45aを中心として上方(前方)へと回動する。そして、口枠36を所定位置まで押し込むと、係合爪部45bが相対的に口枠36を乗り越えることによりクランプ本体45がトーションばねの付勢によって復帰回動し、この係合爪部45bが口枠36の背面側に係合してクランプ部43が集塵袋保持部との間で口枠36を保持する。この結果、集塵袋31が集塵室27内に装着され、口枠36の開口部41が本体吸込口64の下流側に気密に接続される。この後、使用者は蓋体63を下方へと回動させて集塵室27を気密に閉塞する。
【００４５】
なお、集塵袋31が集塵室27に予め取り付けられている場合には、上記作業は不要である。
【００４６】
このように集塵袋31を集塵室27に装着した状態で、使用者は電源コード33を図示しない壁面のコンセントなどに接続した後、本体吸込口64に連通接続された管部12の把持部21を把持し、所望の設定ボタン22を押し操作する。そして、この設定ボタン22の操作信号に基づいて本体制御部が電動送風機32を例えば位相角制御することにより、使用者が設定ボタン22により設定した動作モードで電動送風機32を起動させる。
【００４７】
この電動送風機32の駆動により、負圧が通気開口から集塵室27(集塵袋31)、本体吸込口64および管部12へと作用する。使用者は、床ブラシ19を床面上で前後に走行させたり、この床ブラシ19を取り外して他のアタッチメントなどを装着したりして、塵埃を空気とともに吸い込む。
【００４８】
この含塵空気は、管部12から本体吸込口64を介して掃除機本体13へと吸い込まれる。この掃除機本体13の本体ケース25内では、本体吸込口64に連通する集塵袋31の口枠36の開口部41から袋体37内へと吸い込まれ、この袋体37を通過する際に比較的大きい塵埃(粗塵)が捕集される。
【００４９】
また、この袋体37を通過した空気には、微細な塵埃(細塵)が含まれているものの、この塵埃は、空気がさらに隔壁26の通気開口を通過する際に、この通気開口に取り付けたフィルタにより捕集される。
【００５０】
そして、通気開口から電動送風機32へと吸い込まれた空気は、この電動送風機32を通過して排気風となり、本体排気口を介して送風機室28から本体ケース25の外部へと排気される。
【００５１】
掃除が終了すると、使用者が設定ボタン22を操作することで、本体制御部が電動送風機32を停止させる。
【００５２】
そして、所定量以上の塵埃が集塵袋31の袋体37内に捕集された場合には、この集塵袋31を廃棄して新たな集塵袋31に交換する。
【００５３】
集塵袋31の取り外しの際には、まず、図５に示すように、上蓋部72を蓋体本体71に対して上方へと回動させて収納部73を開き、内部に収納されているハンドル38を収納部73から取り出す。
【００５４】
次いで、使用者は、蓋体本体71を上方へと回動させて集塵室27を開き、取り出したハンドル38の把手部51を把持した状態でフック部55，55側を集塵袋31に対して後方から近づけ、図２(a)に示すように、各フック部55を口枠36の前側(上流側)から各着脱開口42に対して挿入する。このとき、ハンドル38は、上側が後方へと傾斜した状態となり、突起部57はクランプ部43のクランプ本体45の操作部45cに対して後方に離間されている。
【００５５】
この状態で、使用者は、図２(b)に示すように、ハンドル38を前方へと回動させることにより、各フック部55が各着脱開口42に対して引っ掛けられると同時に、突起部57がクランプ部43のクランプ本体45の操作部45cの後側を前方へと押圧して、このクランプ本体45を前方(集塵袋31の上流側)へと回動させる。
【００５６】
さらに、ハンドル38を略垂直な状態、すなわち集塵室27の開口方向に沿う方向まで回動させると、クランプ本体45の係合爪部45bが集塵袋31の口枠36から離れてこの口枠36よりも前方に位置し、集塵袋31が集塵室27の開口方向に沿う上下方向へと取り外し可能な状態となる。
【００５７】
そして、使用者はそのままハンドル38を上方へと引き上げることにより、このハンドル38の各フック部55が各着脱開口42に引っ掛けられた集塵袋31が集塵室27から上方へと引き抜かれる。
【００５８】
使用者は、図１(b)に示すように集塵袋31をハンドル38のフック部55，55に吊り下げた状態でごみ箱などの廃棄場所へと運搬する。このとき、吊り下げられた集塵袋31は、袋体37に捕集された塵埃などを含む重量バランスにより、ハンドル38のフック部55，55を中心として袋体37側が下側へと回動し(図１(b)の矢印Ａ方向)、開口部41が上方向を向く。このため、袋体37内に捕集された塵埃が開口部41からこぼれ落ちることはない。
【００５９】
廃棄場所では、フック部55，55を口枠36の着脱開口42，42に係合させた動作と逆方向にハンドル38を回動させることにより集塵袋31を廃棄する。
【００６０】
この廃棄の後、使用者は、掃除の開始時と同様の作業で集塵袋31を集塵室27に取り付け、蓋体63の蓋体本体71により集塵室27を閉じ、さらに、集塵袋31の廃棄に用いたハンドル38を収納部73のハンドル取付部77に装着して上蓋部72を閉じる。
【００６１】
このように、集塵室27に着脱可能な集塵袋31に対してハンドル38を着脱可能とすることにより、ハンドル38を集塵袋31から取り外した状態で集塵袋31を集塵室27に装着することでハンドル38への塵埃の付着を防止できるとともに、ハンドル38を集塵袋31に取り付けることで使用者が集塵袋31に直接触れることなく集塵袋31を集塵室27から容易に取り外して廃棄でき、使用者の手が塵埃で汚れることがなく、衛生性を確保できる。
【００６２】
すなわち、ハンドル38を集塵袋31から取り外せるため、集塵袋31の袋体37を通過した微細な塵埃を含む空気が流れる集塵室27内にハンドル38を置かずに済むので、この空気に含まれる微細な塵埃がハンドル38に付着することがなく、衛生的である。
【００６３】
さらに、ハンドル38に形成したフック部55，55を着脱開口42，42へと挿入して回動させることによりフック部55，55が着脱開口42，42にそれぞれ係止されるので、ハンドル38を集塵袋31に対して容易に取り付けできる。
【００６４】
また、上記構成では、本体ケース25の集塵室27内に集塵袋31を保持可能なクランプ部43が、集塵室27内に保持した集塵袋31にハンドル38を取り付けることで集塵袋31の集塵室27内への保持を解除可能とした。具体的には、ハンドル38を集塵袋31に対して回動させることにより取り付け可能とし、クランプ部43をハンドル38の取り付け方向と反対方向である後方への回動により集塵袋31を集塵室27内に保持可能として、ハンドル38を集塵袋31に対して前方へと回動させて取り付ける際にクランプ部43を前方へと押圧して回動させて集塵袋31の集塵室27内への保持を解除させる突起部57をハンドル38に形成した。このため、ハンドル38を集塵袋31に取り付ける一動作(ワンアクション)だけで集塵袋31のクランプ部43での保持を解除できる。したがって、集塵袋31を集塵室27から取り外して廃棄する際の作業性が良好となり、例えば把手部51を把持した片手だけでハンドル38を集塵袋31に取り付けてこの集塵袋31を集塵室27から取り外すことも可能になる。
【００６５】
さらに、ハンドル38を収納可能な収納部73を本体ケース25に設けることにより、集塵袋31から取り外したハンドル38を誤って紛失することを抑制できる。
【００６６】
しかも、収納部73は、蓋体63に形成することにより、ハンドル38を収納部73から直ちに取り出して使用することができ、使い勝手が良好である。
【００６７】
また、例えば図４に示すように、使用者が集塵袋31にハンドル38を取り付けたまま誤って蓋体63(蓋体本体71)により集塵室27を閉じようとした場合には、直立した状態のハンドル38の把手部51の上部にこの蓋体63の蓋体本体71の湾曲部71aが当接することにより、この湾曲部71aによりハンドル38の把手部51がガイドされてハンドル38が後方へと倒れるように回動しようとする。このとき、蓋体本体71の湾曲部71aに形成したリブ75がハンドル38の後部に当接することで、このハンドル38の後方への倒れを阻止する。このため、蓋体63は、ハンドル38によって下側から支持されて、それ以上、下方へと回動することができなくなる。
【００６８】
このように、蓋体63により集塵室27を閉塞する際にハンドル38の把手部51に当接してこのハンドル38の集塵室27側への回動による倒れを阻止するリブ75を形成することにより、ハンドル38を集塵袋31に誤って取り付けた状態のまま蓋体63により集塵室27を閉塞することがないため、誤ってハンドル38を装着したままであることを使用者に報知でき、使用者によるハンドル38の取り外し忘れを抑制できる。
【００６９】
次に、第２の実施の形態を図７ないし図９を参照して説明する。なお、上記第１の実施の形態と同様の構成および作用については、同一符号を付してその説明を省略する。
【００７０】
この第２の実施の形態は、上記第１の実施の形態の集塵袋31に代えて、一般的な集塵袋81を保持体としてのバスケット82に取り付けた集塵部83を集塵室27に対して着脱可能としたものである。
【００７１】
集塵袋81は、図７(a)および図７(b)に示すように、例えば正面視四角形状の口枠86とこの口枠86に一体的に取り付けられた袋体87とを備えた紙パックである。
【００７２】
口枠86は、例えば厚紙などにより形成されており、電動送風機32の駆動により管部12を介して吸い込まれた塵埃が空気とともに袋体87へと流入する円形状の開口部88を中央部に有している。また、この口枠86は、図８に示すように、クランプ部43により保持可能となっている。
【００７３】
袋体87は、口枠86の開口部88から吸い込まれた塵埃を含む空気(含塵空気)を濾過して比較的大きい塵埃(粗塵)を捕集するものであり、例えば複数の濾材(濾紙)を重ね合わせて袋状に形成されている。また、この袋体87は、開口側が口枠86の開口部88に連通するように口枠86の背面側に固定されている。そして、この袋体87は、集塵袋31の未使用状態で折り畳まれており、開口部88から含塵空気を内部に吸い込むことにより集塵室27の内部全体に亘って拡がるように構成されている。
【００７４】
また、バスケット82は、例えば合成樹脂などにより形成されており、例えば四角形板状の底板91と、この底板91の両側から垂直に立ち上がる四角形板状の側板92，92と、これら底板91および側板92，92の前部に連続する四角形板状の前板93とを一体に備えている。すなわち、このバスケット82は、上側および後側が開放された箱状に形成されている。そして、このバスケット82には、ハンドル94が着脱可能となっている。
【００７５】
底板91の前板93の後方の位置には、図８に示すように、口枠86の下側を保持する保持凸部95が上方に向けて突出して形成されている。
【００７６】
また、前板93は、バスケット82に取り付けた集塵袋81の口枠86の開口部88の上流側に対向して連通する丸孔状の連通開口96を中心部に有している。この連通開口96には、図９に示すように、集塵部83を集塵室27に取り付けた状態で、本体吸込口64の後部(下流側)に接続された筒状のシール部材97が挿入されて口枠86の開口部88に気密に接続される。さらに、図８に示すように、この前板93の連通開口96の上方でかつ両側には、ハンドル94を係止するための着脱開口部98，98が例えば四角形状に形成されている。さらに、この前板93の中央部の上部には、クランプ部43のクランプ本体45の後側が位置する切欠凹部99が切り欠き形成されている。
【００７７】
着脱開口部98，98は、バスケット82に集塵袋81を取り付けた状態でこの集塵袋81の口枠86の両側方(外側)に位置している。
【００７８】
切欠凹部99には、バスケット82に取り付けた集塵袋81の口枠86の上部が露出する。
【００７９】
また、ハンドル94は、例えば合成樹脂などにより板状に形成されており、使用者が把持する把手部103と、この把手部103に連続する腕部104，104と、これら腕部104，104間に形成されたリブ部としての補強部105とを一体に備えている。また、このハンドル94は、集塵室27内に挿入可能な大きさに形成されている。そして、このハンドル94は、集塵部83を集塵室27から取り外すときのみバスケット82に取り付けられるものであり、その他の状態ではバスケット82から取り外されて少なくとも集塵室27の外部に位置している。ここでは、ハンドル94は、収納部73に収納可能となっている。
【００８０】
把手部103は、幅方向に長手状に形成されている。
【００８１】
腕部104，104は、把手部103の両端部からそれぞれ直交方向に沿って延びて形成されている。また、これら腕部104，104には、例えば補強部105に対して把手部103と反対側の位置(図７中の下側寄り)に、バスケット82の着脱開口部98，98に引っ掛けられて取り付けられるフック部107，107が例えば前面側へと折り返されて一体に形成されている。さらに、これら腕部104，104は、フック部107，107の把手部103側、すなわち図７中の上側の部分と、把手部103側と反対側、すなわち図７中の下側の部分とが、それぞれフック部107，107を着脱開口部98，98に引っ掛けた状態でバスケット82の前板93の後面に当接する回動阻止部としての上部回動規制部104a，104aおよび下部回動規制部104b，104bとなっている。
【００８２】
フック部107，107は、腕部104，104に対して略垂直に突出する突出部107a，107aと、これら突出部107a，107aの先端側から腕部104，104と略平行に屈曲されて突出する引っ掛け部107b，107bとを一体に備え、側面視で腕部104，104に対してＬ字状に形成されている。したがって、このフック部107，107は、着脱開口部98，98に対して後側(下流側)から挿入されて突出部107a，107aが着脱開口部98，98の上縁部に当接し、引っ掛け部107b，107bが着脱開口部98，98の上縁部の背面側に引っ掛けられることでバスケット82に取り付けられる。なお、これらフック部107は、腕部104，104に対して背面側に折り返されて形成されていてもよい。この場合には、着脱開口部98，98に対して前側(上流側)から挿入することが好ましい。
【００８３】
また、補強部105は、腕部104，104間を連結して補強するものであり、把手部103に対して離間された位置に形成されている。すなわち、この補強部105と把手部103と腕部104，104とに囲まれた部分が、把手部103を把持した使用者の手の一部が位置する空間部となっている。さらに、この補強部105の両端間には、フック部107，107の折り返し側、ここでは前側に向けて凸状に突出した突起部109が一体に形成されている。
【００８４】
突起部109は、幅方向にはフック部107，107の間に位置し、幅方向に直交する方向(図７中の上下方向)には、これらフック部107，107よりも把手部103側の位置、換言すればフック部107，107と把手部103との間に位置しており、補強部105に対して略垂直に突出している。また、この突起部109は、ハンドル94を回動させた状態でクランプ部43のクランプ本体45の操作部45cの後側を前方へと押圧して、この操作部45cを前方へと回動させるように構成されている。
【００８５】
そして、集塵部83を集塵室27に取り付ける際には、まず、使用者はバスケット82の前板93の後面に沿って、未使用の集塵袋81の口枠86を上側から下側へとスライドさせ、この口枠86の下側を前板93と底板91の保持凸部95との間に挿入して口枠86をバスケット82に保持して集塵部83を構成する。この状態で、口枠86の開口部88がバスケット82の連通開口96に気密に接続される。
【００８６】
次いで、使用者は、蓋体63を上方へと回動させて集塵室27を開き、集塵部83を集塵室27内に載置する。そして、集塵部83を前側へと押し込むことにより、集塵袋81の口枠86の上縁部がクランプ部43のクランプ本体45の係合爪部45bの後側に当接し、さらに集塵部83を前方へと押し込むことで口枠86によってクランプ本体45が前方へと押し込まれてトーションばねの付勢に抗して回動軸45a，45aを中心として上方(前方)へと回動する。そして、集塵部83を所定位置まで押し込むと、係合爪部45bが相対的に口枠86を乗り越えることによりクランプ本体45がトーションばねの付勢によって復帰回動し、この係合爪部45bが口枠86の背面側に係合してクランプ部43が集塵部83を保持する。この結果、集塵部83が集塵室27内に装着され、シール部材97が連通開口96に挿入されて口枠86の開口部88に気密に接続される(図９)。この後、使用者は蓋体63を下方へと回動させて集塵室27を閉じる。
【００８７】
掃除中の各部の動作および作用は、上記第１の実施の形態と基本的に同様である。
【００８８】
そして、所定量以上の塵埃が集塵袋81の袋体87内に捕集された場合には、この集塵袋81を廃棄して新たな集塵袋81に交換する。
【００８９】
集塵部83の取り外しの際には、使用者は、蓋体本体71を上方へと回動させて集塵室27を開き、収納部73から取り出したハンドル94の把手部103を把持した状態でフック部107，107側をバスケット82に対して後方から近づけ、図８(a)に示すように、各フック部107をバスケット82の前板93の後側(下流側)から各着脱開口部98に対して挿入する。このとき、ハンドル94の突起部109が後方からクランプ部43のクランプ本体45の操作部45cを前方へと押圧し、このクランプ本体45を前方(集塵袋31の上流側)へと回動させる。この結果、クランプ本体45の係合爪部45bが集塵袋81の口枠86から離れてバスケット82の前板93よりも前方に位置し、集塵部83が集塵室27の開口方向に沿う上下方向へと取り外し可能な状態となる。
【００９０】
そして、使用者は、図８(b)に示すように、ハンドル94を上方へと引き上げることにより、このハンドル94の各フック部107が各着脱開口部98に引っ掛けられた集塵部83が集塵室27から上方へと引き抜かれる。
【００９１】
使用者は、図７(b)に示すように集塵部83をハンドル94のフック部107，107に吊り下げた状態でごみ箱などの廃棄場所へと運搬する。このとき、吊り下げられた集塵部83は、集塵袋81の袋体87内の塵埃の重量などを含む重量バランスにより、フック部107，107を中心として集塵袋81とともにバスケット82の後側が下方へと回動しようとする。しかしながら、ハンドル94の腕部104，104の上部回動規制部104a，104aがバスケット82の前板93の後面に当接することにより、バスケット82(集塵袋81)の後側の下方への回動が規制され、集塵袋81がバスケット82から脱落することがない。
【００９２】
廃棄場所では、ハンドル94とともにバスケット82の前側を上方へと持ち上げて相対的に後側を下方に向ける。このとき、ハンドル94の腕部104，104の下部回動規制部104b，104bがバスケット82の前板93の後面に当接することにより、バスケット82の回動が規制されるので、集塵袋81の自重による回動は規制されないので、この集塵袋81の口枠86が保持凸部95から外れて落下廃棄される。
【００９３】
この廃棄の後、使用者は、掃除の開始時と同様の作業で集塵部83を集塵室27に取り付け、蓋体63の蓋体本体71により集塵室27を閉じ、さらに、集塵袋81の廃棄に用いたハンドル94を収納部73に収納する。
【００９４】
このように、上記第１の実施の形態のハンドル38と同様のハンドル94を備えることにより、上記第１の実施の形態と同様の作用効果を奏することができる。
【００９５】
また、ハンドル94に形成したフック部107，107をバスケット82の着脱開口部98，98へと挿入して回動させることによりフック部107，107が着脱開口部98，98にそれぞれ係止されるので、ハンドル94を集塵部83に対して容易に取り付けできる。
【００９６】
さらに、フック部107，107をバスケット82の着脱開口部98，98に挿入して回動させて係止した状態でのバスケット82の集塵袋81の落下方向、換言すれば集塵袋81の保持方向と反対方向への回動を阻止する上部回動規制部104a，104aをハンドル94が備えることにより、ハンドル94を介して集塵部83を持ち上げた際に、バスケット82の開放された後側が集塵袋81の重量によってハンドル94に対して下方に回動してしまうことを防止できる。このため、集塵部83をハンドル94により持ち運ぶ際などに、バスケット82に取り付けた集塵袋81を誤ってバスケット82から脱落させてしまうことを防止できる。
【００９７】
そして、フック部107，107をバスケット82の着脱開口部98，98に挿入して回動させて係止した状態でのバスケット82の集塵袋81の落下方向への回動を阻止する下部回動規制部104b，104bをハンドル94が備えることにより、集塵袋81を廃棄するために集塵袋81を落下させる方向へとハンドル94とともに集塵部83を傾けた際に、バスケット82が集塵袋81に追従して回動してしまうことを防止でき、集塵袋81を確実にバスケット82から落下させることができる。
【００９８】
また、使用者が集塵部83にハンドル94を取り付けたまま誤って蓋体63(蓋体本体71)により集塵室27を閉じようとした場合には、直立した状態のハンドル94の把手部103の上部にこの蓋体63の蓋体本体71の湾曲部71aが当接することにより、この湾曲部71aによりハンドル94の把手部103がガイドされてハンドル94が後方へと倒れるように回動しようとする。このとき、ハンドル94の下部回動規制部104b，104bがバスケット82の前板93の後面に当接することで、このハンドル94の後方への倒れを阻止する。このため、蓋体63は、ハンドル94によって下側から支持されてそれ以上下方へと回動することができなくなる。
【００９９】
このように、蓋体63により集塵室27を閉塞する際に下部回動規制部104b，104bがハンドル94の集塵室27側への回動による倒れを阻止することにより、ハンドル94を集塵部83に誤って取り付けた状態のまま蓋体63により集塵室27を閉塞することがないため、誤ってハンドル94を装着したままであることを使用者に報知でき、使用者によるハンドル94の取り外し忘れを抑制できる。
【０１００】
なお、上記第２の実施の形態において、保持体は、連通開口および着脱開口部を備えたものであれば、任意の形状に構成することが可能である。
【０１０１】
また、上記各実施の形態において、収納部73は、本体ケース25の任意の位置に設けることができる。さらに、収納部を設けない構成とすることも可能である。
【０１０２】
次に、第３の実施の形態を図１０を参照して説明する。なお、上記各実施の形態と同様の構成および作用については、同一符号を付してその説明を省略する。
【０１０３】
この第３の実施の形態は、上記各実施の形態のハンドル38，94に代えて、本体ケース25の把持ハンドルとして兼用できるハンドル111を用いるものである。
【０１０４】
このハンドル111は、例えば合成樹脂などにより形成されており、使用者が把持する把手部113と、この把手部113に連続する腕部114，114とを一体に備えている。また、このハンドル111は、集塵室27内に挿入可能な大きさに形成されている。そして、このハンドル111は、集塵袋31、あるいは集塵部83を集塵室27から取り外すときのみ集塵袋31あるいは集塵部83に取り付けられるものであり、その他の状態では集塵袋31あるいは集塵部83から取り外されて本体ケース25に取り付けられている。
【０１０５】
把手部113は、幅方向に長手状に形成されている。
【０１０６】
腕部114，114は、把手部113の両端部からそれぞれ直交方向に沿って延びて形成されている。また、これら腕部114，114の把手部113と反対側の端部には、集塵袋31の口枠36の着脱開口42，42、あるいは集塵部83のバスケット82の着脱開口部98，98に引っ掛けられて取り付けられるフック部116，116が例えば背面側へと折り返されて一体に形成されている。
【０１０７】
フック部116，116は、腕部114，114の把手部113と反対側の端部からこれら腕部114，114に対して略垂直に突出する突出部116a，116aと、これら突出部116a，116aの先端側から腕部114，114と略平行に屈曲されて突出する引っ掛け部116b，116bとを一体に備え、側面視で腕部114，114に対してＬ字状に形成されている。したがって、このフック部116，116は、着脱開口42，42あるいは着脱開口部98，98に対して挿入されて突出部116a，116aが着脱開口42，42あるいは着脱開口部98，98の上縁部に当接し、引っ掛け部116b，116bが着脱開口42，42あるいは着脱開口部98，98の上縁部の背面側に引っ掛けられることで集塵袋31あるいは集塵部83に取り付けられる。
【０１０８】
また、これらフック部116，116は、本体ケース25の上ケース62のハンドル嵌合部69に形成された係止軸部118，118に例えば前側から係合され、本体ケース25に対して上下方向に回動可能となっている。
【０１０９】
すなわち、ハンドル111は、集塵袋31あるいは集塵部83と、本体ケース25とに選択的に取り付け可能となっている。
【０１１０】
そして、ハンドル111は、集塵袋31あるいは集塵部83に取り付けていない状態では、係止軸部118，118にフック部116，116が軸支されており、後方へと倒すように回動させることでハンドル嵌合部69に嵌合して上ケース62の上面と略面一になるように構成されている。
【０１１１】
このように、上記各実施の形態のハンドル38，94と同様に集塵袋31あるいは集塵部83に対して着脱可能なハンドル111を備えることにより、上記各実施の形態と同様の作用効果を奏することができる。
【０１１２】
また、ハンドル111は、集塵袋31あるいは集塵部83に取り付けていない状態で本体ケース25の把持用として用いることができるので、本体ケース25の把持用のハンドルを別個に設ける必要がないとともに、ハンドル111の収納用のスペースや機構なども不要となり、部品点数の削減や省スペース化が可能となり、電気掃除機11の構成をより簡略化できる。
【０１１３】
特に、ハンドル111を用いて集塵袋31あるいは集塵部83を集塵室27から取り外している状態で本体ケース25(掃除機本体13)を持ち運ぶ機会や、ハンドル111を用いて本体ケース25を持ち運んでいる際に集塵袋31あるいは集塵部83を集塵室27から取り外す機会は殆どないので、ハンドル111を上記のように集塵袋31あるいは集塵部83と本体ケース25とに選択的に取り付け可能としても、ハンドル111の用途として不便となることはない。
【０１１４】
さらに、ハンドル111は、本体ケース25に取り付けている状態で本体ケース25の外郭に露出しているので、集塵袋31あるいは集塵部83に取り付けたい際には直ちに取り出すことができ、使い勝手が良好であるだけでなく、ハンドルを他の場所に収納して保管する場合などのように誤って紛失するおそれも少ない。
【０１１５】
なお、上記各実施の形態において、電気掃除機11の細部は、上記構成に限定されるものではなく、例えばキャニスタ型の電気掃除機11だけでなく、縦長の掃除機本体13の下部に床ブラシ19を接続したアップライト型の電気掃除機、あるいはハンディ型の電気掃除機など、任意の電気掃除機でも対応させることができる。
【符号の説明】
【０１１６】
11    電気掃除機
25    本体ケース
27    集塵室
28    送風機室
31    集塵部としての集塵袋
32    電動送風機
36，86    口枠
37，87    袋体
38，94，111   ハンドル
41，88    開口部
42    着脱開口
43    保持手段としてのクランプ部
55，107，116   フック部
57，109   突起部
63    蓋体
73    収納部
75    支持部としてのリブ
81    集塵袋
82    保持体としてのバスケット
83    集塵部
96    連通開口
98    着脱開口部
104a  回動阻止部としての上部回動規制部
104b  回動阻止部としての下部回動規制部
【図１】
2011115227.tif 000003
【図２】
2011115227.tif 000004
【図３】
2011115227.tif 000005
【図４】
2011115227.tif 000006
【図５】
2011115227.tif 000007
【図６】
2011115227.tif 000008
【図７】
2011115227.tif 000009
【図８】
2011115227.tif 000010
【図９】
2011115227.tif 000011
【図１０】
2011115227.tif 000012